(57)【特許請求の範囲】
【請求項１】
外光の照度を検出する照度センサと、表示パネルの表示面の背面から光を照射するバックライトモジュールとを備える表示装置であって、
上記バックライトモジュールは、
上記表示パネルの表示面の背面に配置され、光源から照射された光を上記表示面の背面に導き照射する導光板を備え、
上記照度センサは、上記外光を、上記導光板を介して受光する位置に配置され、
上記照度センサの検出値から照度情報を取得する照度情報取得部と、
上記バックライトモジュールの駆動を制御するバックライト駆動制御部と、を備え、
上記照度情報取得部は、
上記バックライト駆動制御部による上記バックライトモジュールの駆動停止時に、上記照度センサの検出値から照度情報を取得し、
上記バックライト駆動制御部は、
上記バックライトモジュールの駆動停止を、上記表示パネルのリフレッシュに同期して行い、
上記表示パネルの照度測定する際のリフレッシュ周期は、照度測定していない時のリフレッシュ周期よりも短く設定されていることを特徴とする表示装置。
【請求項２】
上記表示パネルの表示制御を行う表示制御部をさらに備え、
上記表示制御部は、
上記バックライト駆動制御部からバックライトモジュール停止指示信号を受信したときに、上記表示パネルの表示中の画像を、少なくとも一部が白表示の照度測定用画像に切替えることを特徴とする請求項１に記載の表示装置。
【請求項３】
上記照度センサは、複数個配置されていることを特徴とする請求項１または２の何れか１項に記載の表示装置。
【請求項４】
外光の照度を検出する照度センサと、表示パネルの表示面の背面から光を照射するバックライトモジュールとを備える表示装置であって、
上記バックライトモジュールは、
上記表示パネルの表示面の背面に配置され、光源から照射された光を上記表示面の背面に導き照射する導光板を備え、
上記照度センサは、上記外光を、上記導光板を介して受光する位置に複数個配置され、
上記照度センサの検出値から照度情報を取得する照度情報取得部をさらに備え、
上記表示パネルがタッチパネルを含み、
上記照度情報取得部は、
上記タッチパネルのタッチ位置に対応する導光板の導光経路に対応した位置に配置された照度センサの検出値を除いた残りの照度センサの検出値を照度情報として取得することを特徴とする表示装置。
【請求項５】
上記照度センサの検出値から照度情報を取得する照度情報取得部と、
上記バックライトモジュールの駆動を制御するバックライト駆動制御部と、を備え、
上記照度情報取得部は、
上記バックライト駆動制御部による上記バックライトモジュールの駆動停止時に、上記照度センサの検出値から照度情報を取得することを特徴とする請求項４に記載の表示装置。
【請求項６】
上記バックライト駆動制御部は、
一定の周期でバックライトモジュールの駆動を停止させ、
上記照度センサによる検出値が前回の検出値と比較して所定範囲内の値であるとき、次回のバックライトモジュールの駆動停止を行わないことを特徴とする請求項５に記載の表示装置。
【請求項７】
上記照度センサは、上記導光板の端部に配置されていることを特徴とする請求項１〜６の何れか１項に記載の表示装置。
【請求項８】
上記照度センサは、上記光源が配置されている側に配置されていることを特徴とする請求項７に記載の表示装置。
【発明の詳細な説明】
【技術分野】
【０００１】
本発明は、表示画面の周囲の照度を測定する照度センサを備えた表示装置に関する。
【背景技術】
【０００２】
液晶パネルを有する携帯電話やデジタルカメラ等のポータブル電子機器では、液晶パネルのバックライトの発光量を、外光の照度に応じて制御できるように、外光の照度を検知する照度センサが搭載されている。例えば、特許文献１には、背景の周囲環境の明るさに応じて表示装置を見やすい輝度にする携帯端末装置が開示されている。
【先行技術文献】
【特許文献】
【０００３】
【特許文献１】特開２０１１−０２８１８３号公報（２０１１年２月１０公開）
【発明の概要】
【発明が解決しようとする課題】
【０００４】
ところで、従来のモバイル機器（携帯電話機２０１）では、図１２（特許文献１の図１）のように、照度センサ（光測センサ２３７）を表示面（ディスプレイ２３４）の近傍に形成しているが、近年のスマートフォンでは、表示面を出来るだけ大きくするために額縁部分を少なくする傾向にあり、筺体のデザイン上、配置制約が大きく、期待する位置に配置できない場合がある。
【０００５】
本発明は、上記の問題点に鑑みなされたものであって、その目的は、デザイン性を損なわずに、視認環境照度情報を適切に取得できる表示装置を提供することにある。
【課題を解決するための手段】
【０００６】
上記の課題を解決するために、本発明の一態様に係る表示装置は、外光の照度を検出する照度センサと、表示パネルの表示面の背面から光を照射するバックライトモジュールとを備える表示装置であって、上記バックライトモジュールは、上記表示パネルの表示面の背面に配置され、光源から照射された光を上記表示面の背面に導き照射する導光板とを備え、上記照度センサは、上記外光を、上記導光板を介して受光する位置に配置されていることを特徴としている。
【発明の効果】
【０００７】
本発明の一態様によれば、デザイン性を損なわずに、視認環境照度情報を適切に取得できるという効果を奏する。
【図面の簡単な説明】
【０００８】
【図１】本発明の実施形態１に係る表示装置の概略構成斜視図である。
【図２】図１に示す表示装置の概略構成ブロック図である。
【図３】図１に示す表示装置における照度取得処理の流れを示すフローチャートである。
【図４】図１に示す表示装置における照度情報取得のタイミングチャートの一例を示す図である。
【図５】図１に示す表示装置における照度情報取得のタイミングチャートの一例を示す図である。
【図６】図１に示す表示装置における照度情報取得のタイミングチャートの一例を示す図である。
【図７】本発明の実施形態２に係る表示装置の概略構成斜視図である。
【図８】図７に示す表示装置における照度取得時の画面表示の例を示す図である。
【図９】本発明の実施形態３に係る表示装置の概略構成斜視図である。
【図１０】図９に示す表示装置の概略構成ブロック図である。
【図１１】本発明の実施形態４に係る表示装置の概略構成斜視図である。
【図１２】（ａ）（ｂ）は、一般的な照度センサの配置位置の例を示した表示装置の平面図である。
【発明を実施するための形態】
【０００９】
〔実施形態１〕
本発明の実施の形態について詳細に説明すれば、以下の通りである。本実施形態では、本発明の表示装置を液晶表示装置に適用した例について説明する。
（液晶表示装置１０１の概要）
図１は、液晶表示装置１０１の概略構成斜視図である。
【００１０】
液晶表示装置１０１は、図１に示すように、液晶パネル（表示パネル）１と、当該液晶パネル１の背面側からバックライト光を照射するためのバックライトモジュール２とを含んでいる。
【００１１】
液晶パネル１は、光透過型の液晶パネルであればどのような液晶パネルであってもよい。液晶パネル１の駆動方式については特に限定しない。
【００１２】
バックライトモジュール２は、光源としての複数のＬＥＤ光源２１と、上記液晶パネル１の表示面の背面に配置され、各ＬＥＤ光源２１から照射された光を上記表示面の背面に導きバックライト光として照射する導光板２２を備えている。
【００１３】
導光板２２は、液晶パネル１の表示面とほぼ同じ大きさであり、一端部に配置された複数のＬＥＤ光源２１から照射された光をバックライト光として上記表示面の背面に導くようになっている。なお、導光板２２の形状は、板状であっても、台形状であってもよく、特に限定されるものはない。
【００１４】
上記構成の液晶表示装置１０１は、バックライトモジュール２における発光量を、外光の照度に応じて制御できるように、外光の照度を検知する照度センサ３が、上記ＬＥＤ光源２１に隣接して配置されている。つまり、照度センサ３は、液晶パネル１の表示面から入射される外光を、バックライトモジュール２の導光板２２を介して受光するようになっている。これにより、導光板２２の前面に配置されている液晶パネル１の表示面が照度センサ３の外光の受光用の領域となる。
【００１５】
照度センサ３は、外光を、導光板２２を介して受光する位置に配置されていればよいが、導光板２２の端部から外光を受光する位置に配置されていればよく、さらに、図１に示すように、導光板２２の端部の、ＬＥＤ光源２１が配置されている側に配置されていればよい。
【００１６】
照度センサ３が検知した信号は、バックライトモジュール２の駆動制御に用いられる。
【００１７】
（液晶表示装置１０１の概略ブロック図）
液晶表示装置１０１は、図２に示すように、液晶パネル１、バックライトモジュール２の駆動を制御するための制御部４、照度センサ３による照度検出時に液晶パネル１に表示させる画像データを格納した画像データ格納部５をさらに備えている。
【００１８】
制御部４は、ＣＰＵからなり、液晶パネル１の表示を制御する表示制御部４１、バックライトモジュール２の駆動制御を行うバックライト駆動制御部４２、照度センサ３からの検出信号から照度情報を取得する照度情報取得部４３を含んでいる。
【００１９】
照度情報取得部４３は、バックライト駆動制御部４２によるバックライトモジュール２の駆動停止時に、上記照度センサ３の検出値から照度情報を取得する。制御部４は、照度情報取得部４３に対して照度情報の取得要求があれば、照度情報取得時に、バックライトモジュール２の駆動を停止する停止指示をバックライト駆動制御部４２に対して行う。これにより、照度センサ３による検出は、バックライトモジュール２が駆動しているとき、すなわち、バックライトモジュール２からバックライト光を照射しているときを避けて行うことができるため、バックライト光に邪魔されることなく、外光を照度センサ３に受光することができる。従って、照度情報取得部４３は、液晶表示装置１０１の表示面側における適切な照度情報を取得することができる。
【００２０】
また、バックライト駆動制御部４２は、さらに、照度情報取得部４３が照度情報を適切に取得するために、照度情報取得時に、液晶パネル１に表示されている通常画（壁紙などの通常表示されている画像や今まで表示していた画像）を照度情報取得用の画像（照度測定用定画：以下、「測定画」と称する）に切替えるための指示信号を表示制御部４１に対して出力する。すなわち、上記表示制御部４１は、上記バックライト駆動制御部４２から指示信号（バックライトモジュール停止指示信号）を受信したときに、上記液晶パネル１の表示中の画像を、少なくとも一部が白表示の測定画に切替える。
【００２１】
なお、上記の説明では、表示制御部４１は、バックライト駆動制御部４２からの指示信号（バックライトモジュール停止指示信号）により表示中の画像を切り替える処理を行っているが、これに限定されるものではなく、制御部４から直接、上記指示信号を受け取って、表示中の画像を切り替える処理を行ってもよい。また、表示制御部４１以外にも、バックライト駆動制御部４２、照度情報取得部４３を、制御部４によって直接制御してもよい。
【００２２】
ここで、表示制御部４１が切替える測定画としては、液晶パネル１の全面が光透過を行う白表示の画像が好ましく、液晶表示による影響が小さくなるような表示画であればよい。上記測定画は、画像データ格納部５に格納されている。
【００２３】
また、制御部４は、照度情報取得部４３による照度情報取得が終了すれば、表示制御部４１に対して、測定画から通常画に切替えるように指示を行うと共に、バックライト駆動制御部４２に対して、バックライトモジュール２の駆動を再開するように指示を行う。
【００２４】
（照度情報取得処理）
ここで、照度情報の取得処理の流れについて、図３に示すフローチャートを参照しながら以下に説明する。
【００２５】
まず、ステップＳ１１において、制御部４は、照度取得要求があれば（Ｙｅｓ）、バックライトを消灯させる（ステップＳ１２）。ここで、制御部４は、バックライト駆動制御部４２に対してバックライトモジュール２の駆動を停止させるように指示を行う。
【００２６】
次に、制御部４は、測定画を表示させる（ステップＳ１３）。ここで、制御部４は、表示制御部４１に対して液晶パネル１に表示されている通常画から、画像データ格納部５に格納されている測定画に切替えるように指示を行う。
【００２７】
続いて、照度情報取得部４３は、照度測定を行う（ステップＳ１４）。具体的には、照度情報取得部４３は、バックライトモジュール２によるバックライト光の照射が無い状態で、測定画表示された液晶パネル１の表示面から入射した外光を導光板２２を介して照度センサ３が受光し、照度センサ３から出力される検出値から照度情報を取得する。
【００２８】
次に、制御部４は、通常画を表示させる（ステップＳ１５）。具体的には、制御部４は、照度情報取得部４３による照度情報の取得が完了したとき、表示制御部４１に対して、液晶パネル１に表示されている測定画を通常画に切替えさせる。
【００２９】
また、制御部４は、バックライトを点灯させ（ステップＳ１６）、処理を終了する。具体的には、制御部４は、照度情報取得部４３による照度情報の取得が完了したとき、バックライト駆動制御部４２に対して、バックライトモジュール２の駆動を再開させ、照度情報取得処理を終了する。
【００３０】
照度情報取得のタイミングは、液晶パネル１のリフレッシュに同期させるのが好ましい。つまり、上記バックライト駆動制御部４２は、上記バックライトモジュール２の駆動停止を、上記液晶パネル１のリフレッシュに同期して行う。
【００３１】
以下において、照度情報取得のタイミングについて説明する。ここでは、以下の３つのパターンについて説明する。
【００３２】
（照度情報取得タイミング（１））
通常、バックライト点灯中には照度を正確に測定できないため、上記の照度情報取得処理のように、消灯時に照度測定を行う。そして、照度測定時には液晶表示の影響を最小限にするため、測定画として外光透過色（たとえば、白表示）を表示しておく。バックライトが消灯しているため、ユーザには視認されにくい。このときの照度情報取得タイミングを図４に示す。
【００３３】
図４は、照度情報取得タイミングの一例を示すタイミングチャートである。ここでは、照度情報取得部４３による、照度情報取得タイミング（照度測定の周期）を液晶パネル１のリフレッシュの周期（６０Ｈｚ周期）としたときの、バックライトモジュール２の駆動（ＢＬ駆動）タイミングと、液晶パネル１の表示画像の切替えタイミングとを示している。
【００３４】
この場合、例えば図１２の（ａ）（ｂ）のように、額縁領域に照度測定用の専用窓を配置することなく、照度情報の取得が可能となる。
【００３５】
ところで、照度情報取得タイミングが６０Ｈｚ周期で静止画を表示している場合などでは、ユーザに照度測定（バックライト消灯、測定画表示）が認識される虞がある。つまり、ユーザは、照度情報取得処理を行っている際に、画面がチラついているように感じる可能性がある。
【００３６】
（照度情報取得タイミング（２））
そこで、ユーザに照度測定（バックライト消灯、測定画表示）を認識されないように、照度情報取得タイミングを、照度測定していない時の液晶パネル１のリフレッシュ周期、例えば６０Ｈｚ周期よりも短いリフレッシュ周期、例えば１／２倍の１２０Ｈｚ周期（倍速のリフレッシュの周期）にする、所謂、高速リフレッシュ駆動を行う。具体的には、上記バックライト駆動制御部４２は、上記バックライトモジュール２の駆動停止を、照度測定していない時のリフレッシュ周期（６０Ｈｚ）の１／２倍（１２０Ｈｚ）に同期させる。
【００３７】
図５は、照度情報取得タイミングの一例を示すタイミングチャートである。ここでは、照度情報取得部４３による、照度情報取得タイミング（照度測定の周期）を一例として１２０Ｈｚ周期（照度測定していない時の１／２倍の液晶パネル１のリフレッシュの周期）としたときの、バックライトモジュール２の駆動（ＢＬ駆動）タイミングと、液晶パネル１の表示画像の切替えタイミングとを示している。
【００３８】
このように、１２０Ｈｚのように短い周期でバックライトをＯＮ／ＯＦＦすると、チラつきが認識されにくくなる。しかも、照度情報取得周期が短いため、周囲環境照度の変化に俊敏に反応可能となる。
【００３９】
なお、上記説明では照度測定時のリフレッシュ周期を１２０Ｈｚとして説明したが、これに限定されるものではなく、ちらつきが感じられない程度にリフレッシュ周期を短く設定すればよい。
【００４０】
（照度情報取得タイミング（３））
ところで、周囲環境照度がある程度の期間変化がないような場合には、一定周期で照度情報を取得する必要がない。例えば液晶表示装置１０１を伏せ置き（表示面を机などに向けて置く）やポケットに入れる等の周囲環境照度が急激に変化しない場合、照度の測定間隔を間引く。具体的には、上記バックライト駆動制御部４２は、一定の周期（６０Ｈｚ、１２０Ｈｚ等）でバックライトモジュール２の駆動を停止させ、上記照度センサ３による検出値が前回の検出値と比較して所定範囲内の値であるとき、次回のバックライトモジュール２の駆動停止を行わないように制御する。
【００４１】
図６は、照度情報取得タイミングの一例を示すタイミングチャートである。ここでは、照度情報取得部４３による、照度情報取得タイミング（測定間隔の間引き）と、バックライトモジュール２の駆動（ＢＬ駆動）タイミングと、液晶パネル１の表示画像の切替えタイミングとを示している。このように、測定間隔を間引いて、測定間隔を広げる事で、駆動処理負荷軽減による省電力化が可能となる。
【００４２】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
（液晶表示装置１０２の概要）
図７は、液晶表示装置１０２の概略構成斜視図である。
【００４３】
液晶表示装置１０２は、図７に示すように、図１に示す液晶表示装置１０１とほとんど同じ構成であるが、照度センサ３の数が異なる。つまり、図１に示す液晶表示装置１０１では、照度センサ３が１個であったが、図７に示す液晶表示装置１０２では、照度センサ３が複数個（図７では３個）である。照度センサ３は、図７に示すように、ＬＥＤ光源２１と交互に配置されている。照度センサ３の配置はＬＥＤ光源２１と交互に配置しなくても構わないが、均等間隔に配置されているほうが好ましい。
【００４４】
上記構成の液晶表示装置１０２では、各照度センサ３がそれぞれ照度を検出する。各照度センサ３が検出した検出値は、以下の２通りで照度情報となる。
【００４５】
（検出値の平均）
上記照度情報取得部４３は、上記複数の照度センサ３の検出値の平均値を照度情報として取得する。
【００４６】
（検出値の最小値を除き、平均化）
上記照度情報取得部４３は、上記複数の照度センサ３の検出値のうち、最小の検出値を除いた残りの検出値の平均値を照度情報として取得する。
【００４７】
このように、照度センサ３を複数配置することで、液晶パネル１の表示面を手で覆う等の外的要因による照度測定への影響を軽減することが可能となる。
【００４８】
また、照度センサ３の配置位置によって、測定画を変化させてもよい。この例を図８に示す。図８の（ａ）は、表示面の全体を白表示する場合（以下、「全面白表示」と称する）の測定画、（ｂ）は、表示面の下部の一部を白表示する場合（以下、「下部一部白表示」と称する）の測定画（１）、（ｃ）は、表示面の下部の一部を白表示する場合（以下、「下部一部白表示」と称する）の測定画（２）を示す。
【００４９】
図８の（ａ）に示すように、測定画が全面白表示の場合、照度測定を効果的に行うには、図７に示すように、各照度センサ３を等間隔に配置するのが好ましい。
【００５０】
測定画が下部一部白表示であって、図８の（ｂ）に示すように、下部の幅方向全域を測定領域とした場合、照度測定を効果的に行うには、図８の（ａ）に示す全面白表示と同様に、各照度センサ３を等間隔に配置するのが好ましい。
【００５１】
一方、測定画が下部一部白表示であって、図８の（ｃ）に示すように、下部の左側のみを測定領域とした場合、照度測定を効果的に行うには、照度センサ３を下部の左側に配置するのが好ましい。しかしながら、図７に示すように、各照度センサ３を等間隔に配置してもよい。
【００５２】
測定画としては、図８に示す３つの例のみに限定されものではなく、他のパターンの測定画であってもよい。また、複数の測定画を必要に応じて切替えるようにしてもよい。この測定画の切替えは、ユーザによって行ってもよいし、照度センサ３からの検出値に基づいて行ってもよい。
【００５３】
ところで、前記実施形態１，２に示した例では、液晶パネル１の表示面を手や指が覆っている場合、意図せず照度が低くなったと検出する虞がある。この対策として、液晶パネル１にタッチパネルを設けて、当該タッチパネルのセンシング情報と連携し、タッチパネルにユーザがタッチしている領域は、ユーザの指や手などで覆われていると判断し、ユーザの指や手などで覆われていないと判断されたポイント（領域）の照度情報を取得するようにすることが考えられる。以下の実施形態３では、タッチパネルのセンシング情報と連携した例について説明する。
【００５４】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
（液晶表示装置１０３の概要）
図９は、液晶表示装置１０３の概略構成斜視図である。
【００５５】
液晶表示装置１０３は、図９に示すように、図７に示す液晶表示装置１０２とほとんど同じ構成であるが、液晶パネル１１がタッチパネルを含んでいる点で異なる。すなわち、液晶表示装置１０３は、図１０に示すように、タッチパネルを含んだ液晶パネル１１を備えている点で、図７に示す液晶表示装置１０２と異なる。つまり、液晶パネル１１の表示面をユーザがタッチしたとき、当該液晶パネル１１に含まれるタッチパネルのタッチ位置を示す座標情報が表示制御部４１によって取得され、取得された座標情報が表示制御部４１から照度情報取得部４３に送られる。照度情報取得部４３は、送られた座標情報から照度検出の対象となる照度センサ３を特定し、特定した照度センサ３からの検出値を用いずに、他の照度センサ３からの検出値を照度情報として取得する。
【００５６】
このように、液晶パネル１がタッチパネルを含んでいるとき、照度情報取得部４３は、上記タッチパネルのタッチ位置（座標情報から得られる座標）に対応する導光板２２の導光経路に対応した位置に配置された照度センサ３の検出値を除いた残りの照度センサ３の検出値を照度情報として取得するようにしてもよい。これにより、図９に示すように、画面左の一部が手で覆われた場合、該当部分は黒表示とし、その部分の照度情報は取得しないようにする。
【００５７】
これにより、照度検出の精度の悪い領域、すなわちユーザが触れている領域の照度を検出しないようにすることで、より精度のよい照度情報を取得することができる。
【００５８】
以上のように、前記実施形態１〜３の液晶表示装置１０１〜１０３によれば、いずれも、照度センサ３のための外光を受ける領域が液晶パネル１、１１の表示画面の全域あるいは一部の領域となるため、従来の照度センサと比較し、広い面積で受光可能となり、ユーザの指などの遮蔽物の影響を受けにくい。
【００５９】
また、上記構成によれば、フレーム上に照度センサ３のための開口を設ける必要がないため、照度センサ３の配置のためのデザインの制約を無くすことができる。しかも、照度検出のための外光を受光する向きと、ユーザが表示画面を見る向きとが同じになるため、視認環境照度情報を適切に取得することができる。
【００６０】
〔変形例〕
前記実施形態１〜３では、いずれも、光源であるＬＥＤ光源２１の配置位置が、導光板２２の一端部側のみとなっている。これは、液晶表示装置１０１〜１０３がスマートフォン等のような表示画面のサイズが例えば５〜６インチと小さいモバイル機器を想定しているため、導光板２２の一端側にＬＥＤ光源２１を配置しても表示画面に対して均等にバックライト光を照射でできるためである。
【００６１】
しかしながら、本発明は、上記構成に限定されるものではなく、例えば図１１に示す液晶表示装置１０４のように、導光板２２の両端にＬＥＤ光源２１を配置した場合にも適用可能である。液晶表示装置１０４では、導光板２２の両端に配置されたＬＥＤ光源２１に隣接して、それぞれに照度センサ３を配置する。この場合、導光板２２の両端からＬＥＤ光源２１の照射光が当該導光板２２に入射され、バックライト光として出射されるため、外光も導光板２２に入射されると、照度センサ３が配置されている当該導光板２２の両端に導かれる。図１１の例では、導光板２２の両端にそれぞれ１個の照度センサ３が配置されているため、照度情報取得部４３は得られる２つの照度センサ３の検出値の平均値を照度情報として取得する。導光板２２の両端それぞれに複数の照度センサ３が配置された場合には、前記実施形態２において求めたように、平均値、最小値を除いた平均値を照度情報として取得する。つまり、液晶表示装置１０４では、ＬＥＤ光源２１、照度センサ３が導光板２２の両端に配置されていることが、前記実施形態１〜３と異なるだけであり、照度情報取得処理は、前記実施形態１〜３と同じ処理が適用できる。従って、図１１に示す例は、導表示画面が２０インチ以上のテレビやパソコン用のモニタなどの機器のように、導光板が大きい場合に好適である。
【００６２】
また、以上の説明では、いずれも、照度センサ３を導光板２２の端部（一端、両端）に配置した例について説明したが、これに限定されるものではなく、例えば、導光板２２の背面に照度センサ３を配置する構成であってもよい。つまり、外光を、導光板２２を介して受光する位置に配置されていればよい。
【００６３】
〔ソフトウェアによる実現例〕
表示装置の制御部４の制御ブロック（特に表示制御部４１、バックライト駆動制御部４２、照度情報取得部４３）は、集積回路（ＩＣチップ）等に形成された論理回路（ハードウェア）によって実現してもよいし、ＣＰＵ（Central Processing Unit）を用いてソフトウェアによって実現してもよい。
【００６４】
後者の場合、表示装置の制御部４は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６５】
〔まとめ〕
本発明の態様１に係る表示装置は、外光の照度を検出する照度センサ３と、表示パネル（液晶パネル１，１１）の表示面の背面から光を照射するバックライトモジュール２とを備える表示装置（液晶表示装置１０１〜１０４）であって、上記バックライトモジュール２は、上記表示パネル（液晶パネル１，１１）の表示面の背面に配置され、光源（ＬＥＤ光源２１）から照射された光を上記表示面の背面に導き照射する導光板２２とを備え、上記照度センサ３は、上記外光を、上記導光板２２を介して受光する位置に配置されていることを特徴としている。
【００６６】
上記構成によれば、照度センサは、外光を、バックライトモジュールの導光板を介して受光する位置に配置されているので、導光板の前面に配置されている表示パネルの表示面が照度センサの外光の受光用の領域となる。これにより、従来のように、照度測定用の専用窓を表示パネルの額縁領域に配置することなく、表示パネルの表示面から照度センサへと外光の受光が可能となる。
【００６７】
従って、従来の照度センサと比較し、照度センサが外光を受光するための領域が広くなるため、指などの遮蔽物の影響を受けにくいという効果を奏する。
【００６８】
照度センサ３の具体的な配置位置は以下の通りである。本発明の態様２に係る表示装置は、上記態様１において、上記照度センサ３は、上記導光板２２の端部から外光を受光する位置に配置されていてもよい。
【００６９】
さらに、照度センサ３の好ましい配置は以下の通りである。本発明の態様３に係る表示装置は、上記態様２において、上記照度センサ３は、上記光源（ＬＥＤ光源２１）が配置されている側に配置されていてもよい。上記構成によれば、照度センサ３をＬＥＤ光源２１と同じ側に設けることで、照度センサ３を別途配置するスペースを確保する必要がないので、既存のバックライトモジュール２の大きさのままで済む。
【００７０】
本発明の態様４に係る表示装置は、上記態様１〜３の何れか１態様において、上記照度センサ３の検出値から照度情報を取得する照度情報取得部４３と、上記バックライトモジュール２の駆動を制御するバックライト駆動制御部４２と、を備え、上記照度情報取得部４３は、上記バックライト駆動制御部４２による上記バックライトモジュール２の駆動停止時に、上記照度センサ３の検出値から照度情報を取得すればよい。
【００７１】
上記構成によれば、バックライト光の影響を受けずに照度を検出できるので、照度検出の精度を向上させることができる。
【００７２】
本発明の態様５に係る表示装置は、上記態様４において、上記バックライト駆動制御部４２は、上記バックライトモジュール２の駆動停止を、上記表示パネル（液晶パネル１）のリフレッシュに同期して行ってもよい。
【００７３】
上記構成によれば、表示に影響のないタイミングで、照度を検出できるので、ユーザは照度検出による表示の変化をあまり感じないで済む。
【００７４】
本発明の態様６に係る表示装置は、上記態様５において、上記表示パネル（液晶パネル１）のリフレッシュ周期は、照度測定していない時のリフレッシュ周期よりも短く設定されていてもよい。上記構成によれば、さらに表示への影響を少なくした状態で、照度を検出できるので、ユーザは照度検出による表示の変化をほとんど感じないで済む。つまり、照度検出時の画面のチラつきを無くすことができるため、ユーザは照度検出による表示の変化をほとんど感じないで済む。
【００７５】
本発明の態様７に係る表示装置は、上記態様４において、上記バックライト駆動制御部４２は、一定の周期でバックライトモジュールの駆動を停止させ、上記照度センサ３による検出値が前回の検出値と比較して所定範囲内の値であるとき、次回のバックライトモジュール２の駆動停止を行わなくてもよい。上記構成によれば、照度変化が少ない状態での照度の検出動作を行わないようにし、必要なときだけ照度の検出を行っているので、無駄な照度検出を行わなくて済む。
【００７６】
本発明の態様８に係る表示装置は、上記態様４〜７の何れか１態様において、上記表示パネル（液晶パネル１）の表示制御を行う表示制御部４１をさらに備え、上記表示制御部４１は、上記バックライト駆動制御部４２からバックライトモジュール２の停止指示信号を受信したときに、上記表示パネル（液晶パネル１）の表示中の画像を、少なくとも一部が白表示の照度測定用画像に切替えてもよい。上記構成によれば、照度検出時には、照度測定用画像に表示が切り替わるので、照度の検出精度が向上する。
【００７７】
本発明の態様９に係る表示装置は、上記態様１〜８の何れか１態様において、上記照度センサ３は、複数個配置されていてもよい。上記構成によれば、複数の照度センサ３から得られる各検出値を用いて照度情報を取得するため、精度の高い照度情報を得ることができる。
【００７８】
本発明の態様１０に係る表示装置は、上記態様９において、上記照度センサ３の検出値から照度情報を取得する照度情報取得部４３をさらに備え、上記表示パネル（液晶パネル１）がタッチパネルを含み、上記照度情報取得部４３は、上記タッチパネルのタッチ位置に対応する導光板２２の導光経路に対応した位置に配置された照度センサ３の検出値を除いた残りの照度センサ３の検出値を照度情報として取得すればよい。上記構成によれば、ユーザの手などで覆われた領域に対応する照度センサ３の検出値が用いられず、残りの照度センサ３の検出値を用いて照度情報を取得するため、精度の高い照度情報を得ることができる。
【００７９】
本発明の態様１１に係る表示装置は、上記態様９において、上記照度センサ３の検出値から照度情報を取得する照度情報取得部４３をさらに備え、上記照度情報取得部４３は、上記複数の照度センサ３の検出値の平均値を照度情報として取得してもよい。上記構成によれば、複数の照度センサ３からの検出値の平均値を照度情報としているだけで、精度の高い照度情報を得ることができる。
【００８０】
本発明の態様１２に係る表示装置は、上記態様９において、上記照度センサ３の検出値から照度情報を取得する照度情報取得部４３をさらに備え、上記照度情報取得部４３は、上記複数の照度センサ３の検出値のうち、最小の検出値を除いた残りの検出値の平均値を照度情報として取得してもよい。上記構成によれば、検出値として最小のものを除いているので、全ての照度センサ３の検出値のすべてを用いて照度情報を取得する場合に比べて、照度情報取得の精度を向上させることができる。
【００８１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８２】
本発明は、バックライトを使用する表示装置、特に狭額縁の表示装置のように照度センサの配置位置に制約のあるスマートフォン等の情報携帯端末に利用することができる。
【符号の説明】
【００８３】
１  液晶パネル、２  バックライトモジュール、３  照度センサ、４  制御部、５  画像データ格納部、１１  液晶パネル（表示パネル）、２１  ＬＥＤ光源（光源）、２２  導光板、４１  表示制御部、４２  バックライト駆動制御部、４３  照度情報取得部、１０１〜１０４  液晶表示装置（表示装置）
【図１】
0006529827.tif 000002
【図２】
0006529827.tif 000003
【図３】
0006529827.tif 000004
【図４】
0006529827.tif 000005
【図５】
0006529827.tif 000006
【図６】
0006529827.tif 000007
【図７】
0006529827.tif 000008
【図８】
0006529827.tif 000009
【図９】
0006529827.tif 000010
【図１０】
0006529827.tif 000011
【図１１】
0006529827.tif 000012
【図１２】
0006529827.tif 000013